(57)【要約】      （修正有）【課題】医療用ポンプの使用条件を容易に判別できる医療用ポンプ識別部材を提供する。【解決手段】医療用ポンプ１に使用される医療用ポンプ識別部材５０であって、識別可能な外観を有する識別部５４と、医療用ポンプ１に識別部５４を取り付ける取付部５１とを備え、医療用ポンプ１に着脱可能に構成されている。【選択図】図５
0003208647.tif 000002
【実用新案登録請求の範囲】
【請求項１】
医療用ポンプに使用される医療用ポンプ識別部材であって、
識別可能な外観を有する識別部と、
前記医療用ポンプに前記識別部を取り付ける取付部とを備え、
前記医療用ポンプに着脱可能に構成されていることを特徴とする医療用ポンプ識別部材。
【請求項２】
請求項１に記載の医療用ポンプ識別部材において、
前記識別部は、外観の異なる複数のものがあり、
前記医療用ポンプに応じて選択的に着脱されることを特徴とする医療用ポンプ識別部材。
【請求項３】
請求項２に記載の医療用ポンプ識別部材において、
前記識別部の異なる外観は、前記識別部の形状であることを特徴とする医療用ポンプ識別部材。
【請求項４】
請求項２または請求項３に記載の医療用ポンプ識別部材において、
前記識別部の異なる外観は、前記識別部に付された色であることを特徴とする医療用ポンプ識別部材。
【請求項５】
請求項１から請求項４のいずれか１項に記載の医療用ポンプ識別部材において、
前記取付部は、前記医療用ポンプを挟持可能な挟持部を備えていることを特徴とする医療用ポンプ識別部材。
【請求項６】
請求項１から請求項４のいずれか１項に記載の医療用ポンプ識別部材において、
前記取付部は、吸盤を備えていることを特徴とする医療用ポンプ識別部材。
【請求項７】
請求項１から請求項４のいずれか１項に記載の医療用ポンプ識別部材において、
前記取付部は、粘着性を有する粘着部を備えていることを特徴とする医療用ポンプ識別部材。
【請求項８】
請求項１から請求項７のいずれか１項に記載の医療用ポンプ識別部材において、
前記医療用ポンプに取り付け、前記医療用ポンプを水平面内の任意の方向から見たときに、前記識別部が視認可能に構成されていることを特徴とする医療用ポンプ識別部材。
【考案の詳細な説明】
【技術分野】
【０００１】
本考案は、医療用ポンプ識別部材に関する。
【背景技術】
【０００２】
従来、輸液ポンプやシリンジポンプ等の医療用ポンプが知られている（例えば、特許文献１参照）。
特許文献１に記載の医療用ポンプは、使用する薬液の種類、輸液の予定量、単位時間あたりの流量、患者等の使用条件に合わせてその設定を変更可能に構成されている。
【先行技術文献】
【特許文献】
【０００３】
【特許文献１】特開２０１２−２０５７３６号公報
【考案の概要】
【考案が解決しようとする課題】
【０００４】
しかしながら、特許文献１に記載されたような従来の医療用ポンプでは、その使用条件が一見して判別しにくいという問題がある。
【０００５】
本考案の目的は、医療用ポンプの使用条件を容易に判別できる医療用ポンプ識別部材を提供することにある。
【課題を解決するための手段】
【０００６】
本考案の医療用ポンプ識別部材は、医療用ポンプに使用される医療用ポンプ識別部材であって、識別可能な外観を有する識別部と、前記医療用ポンプに前記識別部を取り付ける取付部とを備え、前記医療用ポンプに着脱可能に構成されていることを特徴とする。
【０００７】
本考案によれば、識別可能な外観を有する識別部が医療用ポンプ識別部材に設けられているため、医療用ポンプに装着された医療用ポンプ識別部材の識別部によって医療用ポンプを識別することができ、識別部を介して医療用ポンプの使用条件を容易に判別することができる。
【０００８】
本考案の医療用ポンプ識別部材において、前記識別部は、外観の異なる複数のものがあり、前記医療用ポンプに応じて選択的に着脱されることが好ましい。
【０００９】
本考案によれば、外観の異なる複数の識別部の中から医療用ポンプに応じて識別部を選択できるため、医療用ポンプの使用条件ごとに識別部を選んで医療用ポンプ識別部材を装着することができ、選択された識別部を介して医療用ポンプの使用条件を容易に判別することができる。
【００１０】
本考案の医療用ポンプ識別部材において、前記識別部の異なる外観は、前記識別部の形状であることが好ましい。
【００１１】
本考案の医療用ポンプ識別部材において、前記識別部の異なる外観は、前記識別部に付された色であることが好ましい。
【００１２】
これらの本考案によれば、多様な外観の識別部が得られるので、使用者の要望や医療用ポンプのデザイン、質感等に合った医療用ポンプ識別部材を提供することができる。
【００１３】
本考案の医療用ポンプ識別部材において、前記取付部は、前記医療用ポンプを挟持可能な挟持部を備えていることが好ましい。
【００１４】
本考案によれば、取付部が挟持部を備えているため、当該挟持部で医療用ポンプを挟持することができ、取付部を介して医療用ポンプに識別部を確実に取り付けることができる。
【００１５】
本考案の医療用ポンプ識別部材において、前記取付部は、吸盤を備えていることが好ましい。
【００１６】
本考案の医療用ポンプ識別部材において、前記取付部は、粘着性を有する粘着部を備えていることが好ましい。
【００１７】
これらの本考案によれば、多様な形態の取付部が得られるので、使用者の要望や医療用ポンプにおける取付部の取り付け位置の形状、材質等に合った医療用ポンプ識別部材を提供することができる。
【００１８】
本考案の医療用ポンプ識別部材は、前記医療用ポンプに取り付け、前記医療用ポンプを水平面内の任意の方向から見たときに、前記識別部が視認可能に構成されていることが好ましい。
【００１９】
本考案によれば、医療用ポンプを水平面内の任意の方向から見たときに、識別部が視認可能に構成されているため、どの方向からも一見して識別部を認識することができ、医療用ポンプの使用条件を容易に判別することができる。
【図面の簡単な説明】
【００２０】
【図１】本考案の第１実施形態に係る医療用ポンプの斜視図。
【図２】医療用ポンプの背面図。
【図３】第１実施形態に係る医療用ポンプ識別部材が装着された医療用ポンプの後方からの斜視図。
【図４】図３の医療用ポンプ識別部材の斜視図。
【図５】図３の医療用ポンプ識別部材が装着された医療用ポンプの前方からの斜視図。
【図６】他の医療用ポンプ識別部材が装着された医療用ポンプの前方からの斜視図。
【図７】他の医療用ポンプ識別部材が装着された医療用ポンプの前方からの斜視図。
【図８】第２実施形態に係る医療用ポンプ識別部材を示す図。
【図９】変形例に係る医療用ポンプ識別部材の斜視図。
【図１０】変形例に係る医療用ポンプ識別部材の斜視図。
【図１１】変形例に係る医療用ポンプ識別部材を示す図。
【図１２】変形例に係る医療用ポンプ識別部材を示す図。
【考案を実施するための形態】
【００２１】
以下、本考案の各実施形態を図面に基づいて説明する。
なお、第２実施形態以降において、第１実施形態で説明する構成部材と同じ構成部材および同様な機能を有する構成部材には、第１実施形態の構成部材と同じ符号を付し、それらの説明を省略または簡略化する。
【００２２】
［第１実施形態］
図１において、医療用ポンプ１は、輸液チューブ２を押圧して輸液を行う輸液ポンプである。医療用ポンプ１は、開閉式のドア部２０と、ドア部２０によって前面が覆われる箱状の本体部３０と、本体部３０を支持する脚部４０とを備えている。
【００２３】
ドア部２０は、操作部２１、表示部２２、および通信部２３を備えている。
【００２４】
操作部２１は、押圧可能な複数のボタンを備え、これらのボタンを押圧することで医療用ポンプ１に対する各種操作が可能に構成されている。操作部２１では、例えば、輸液の単位時間あたりの流量や、輸液の予定量の設定、点検モードの選択、輸液の開始や停止等の操作が行えるようになっている。
【００２５】
表示部２２は、液晶などを用いた表示パネルと、各種報知用のランプとで構成される。表示部２２は、輸液の流量の設定値および実績値、輸液の予定量および積算量、輸液の完了、各種警報情報、輸液チューブ２の閉塞圧力の設定レベル等を表示する。
【００２６】
通信部２３は、ＮＦＣ（Near Field Communication）規格による近距離無線通信が可能に構成されている。例えば、通信部２３は、Felica（登録商標）ポートを有するパーソナルコンピュータや、Felica（登録商標）機能付きの携帯情報端末等の外部端末と通信を行うことができる。この通信部２３により、外部端末から注射箋の識別ＩＤ、輸液の流量、輸液の予定量等の注射箋情報を受信したり、輸液ごとに記録された輸液履歴を外部端末に送信したりすることができる。
【００２７】
本体部３０は、上部に設けられた取っ手３１と、背面部３２とを備えている。
【００２８】
図２に示すように、背面部３２は、薬液等の液体が侵入可能な被侵入部としての凹部３３と、交流電源コネクタ３４と、直流電源コネクタ３５と、その他のコネクタ３６とを備えている。
凹部３３は、平面視円形状で背面部３２から前面側に窪んだ形状とされ、ねじ３７の頭部を収容し、その深さがねじ３７の頭部の厚さよりも深く設定されている。
【００２９】
図３において、医療用ポンプ識別部材（以下、単にポンプ識別部材と称する）５０は、医療用ポンプ１に着脱可能に構成され、その全体がエラストマー等の弾力性を有する樹脂で一体成形されている。
ポンプ識別部材５０は、識別可能な外観を有する識別部５４と、医療用ポンプ１に識別部５４を取り付ける取付部５１とを備えている。
【００３０】
取付部５１は、医療用ポンプ１を挟持可能な挟持部５２と、医療用ポンプ１を保持する保持部５３とを備えている。
【００３１】
挟持部５２は、医療用ポンプ１の背面部３２を挟持可能に構成されている。挟持部５２は、医療用ポンプ１の背面部３２に側面３２Ａ側から当接する側面壁部５２Ａと、背面部３２に背面３２Ｂ側から当接する背面壁部５２Ｂとを備えている。
側面壁部５２Ａは、医療用ポンプ１の背面部３２の側面３２Ａおよび上面３２Ｃに沿って連続した形状とされ、平面視で下方部を欠いた逆Ｕ字形状を有している。側面壁部５２Ａの水平方向の幅は、背面部３２の幅よりも小さく設定され、当該背面部３２を挟持できるように構成されている。
背面壁部５２Ｂは、側面壁部５２Ａの内縁全体から内方に延設され、背面部３２の外縁に沿って１周連続する外縁形状を有している。背面壁部５２Ｂは、当該背面壁部５２Ｂを貫通する開口部５２Ｃを備え、当該開口部５２Ｃによって肉抜きされている。開口部５２Ｃは、背面壁部５２Ｂの外縁部および保持部５３を残してくり抜くように１つ設けられ、開口部５２Ｃを介して医療用ポンプ１の各コネクタ３４〜３６に接続できるようになっている。
【００３２】
図３および図４に示すように、保持部５３は、凹部３３を覆う被覆部５３Ａと、被覆部５３Ａの凹部３３との対向面５３Ｂに設けられ、凹部３３に嵌合する突起５３Ｃとを備えている。
被覆部５３Ａは、背面壁部５２Ｂからその内方に延設され、平面視略半円の外縁形状を有している。
突起５３Ｃは、その外径が凹部３３の内径よりも大きく設定され、凹部３３の底面を含む内面全体に密着する形状を有している。突起５３Ｃの先端部には、凹部３３内のねじ３７の頭部と同じ形状を有する窪み５３Ｄが設けられている。
【００３３】
識別部５４は、その形状および色で識別力を発揮するように構成されている。識別部５４は、側面壁部５２Ａの上部２箇所から上方に長く延設されるとともに、当該識別部５４を含むポンプ識別部材５０全体にピンク色が付され、うさぎの耳を想起させる形状および色になっている。
【００３４】
以上のポンプ識別部材５０を医療用ポンプ１に装着する際は、その突起５３Ｃを医療用ポンプ１の凹部３３に嵌合させつつ、医療用ポンプ１の背面部３２を挟持するように当該背面部３２に挟持部５２をはめ込む。これにより、識別部５４が取付部５１を介して医療用ポンプ１に取り付けられる。この際、ポンプ識別部材５０の被覆部５３Ａが背面部３２に当接しつつ凹部３３を覆うとともに、突起５３Ｃが凹部３３に嵌合するため、凹部３３内に液体が侵入することを防止することができる。
【００３５】
また、図５に示すように、ポンプ識別部材５０を医療用ポンプ１に装着し、当該医療用ポンプ１を水平面内の任意の方向から見たときに、識別部５４が視認可能に構成されている。このため、ポンプ識別部材５０が医療用ポンプ１に装着されていることを容易に把握することができる。
【００３６】
また、医療用ポンプ１のうち、例えば、特定の薬液が使用されているもの、流量等について特定の設定がされているもの、特定の患者に使用されているものを判別したい場合、判別対象となる医療用ポンプ１にポンプ識別部材５０を装着しておくことで、当該医療用ポンプ１を速やかに判別することができる。
【００３７】
さらに、図６に示す識別部５４Ａや、図７に示す識別部５４Ｂのように、識別部５４とは外観の異なる識別部５４Ａ、５４Ｂを備えたポンプ識別部材５０Ａ、５０Ｂを用意し、薬液の種類、輸液の予定量、単位時間当たりの流量、患者等の医療用ポンプ１の使用条件に応じてポンプ識別部材５０、５０Ａ、５０Ｂを選択的に装着することで、複数の医療用ポンプ１が使用されている場合でも、各医療用ポンプ１の使用条件を容易に判別することができる。
【００３８】
図６に示す識別部５４Ａは、側面壁部５２Ａの上部２箇所からそれぞれ尖った頂点を有する略三角形状となるように延設されるとともに、当該識別部５４Ａを含む全体に黒色が付され、猫の耳を想起させる形状および色になっている。
図７に示す識別部５４Ｂは、側面壁部５２Ａの上部２箇所からそれぞれ略半円形状となるように延設されるとともに、当該識別部５４Ｂを含む全体に茶色が付され、熊の耳を想起させる形状および色になっている。
【００３９】
以上のような実施形態によれば、識別可能な外観を有する識別部５４、５４Ａ、５４Ｂが医療用ポンプ識別部材５０、５０Ａ、５０Ｂに設けられているため、医療用ポンプ１に装着された医療用ポンプ識別部材５０、５０Ａ、５０Ｂの識別部５４、５４Ａ、５４Ｂによって医療用ポンプ１を識別することができ、識別部５４、５４Ａ、５４Ｂを介して医療用ポンプ１の使用条件を容易に判別することができる。
【００４０】
また、外観の異なる複数の識別部５４、５４Ａ、５４Ｂの中から医療用ポンプ１に応じて識別部５４、５４Ａ、５４Ｂを選択できるため、医療用ポンプ１の使用条件ごとに識別部５４、５４Ａ、５４Ｂを選んで医療用ポンプ識別部材５０、５０Ａ、５０Ｂを装着することができ、選択された識別部５４、５４Ａ、５４Ｂを介して医療用ポンプ１の使用条件を容易に判別することができる。
【００４１】
また、多様な外観の識別部５４、５４Ａ、５４Ｂが得られるので、使用者の要望や医療用ポンプ１のデザイン、質感等に合った医療用ポンプ識別部材５０、５０Ａ、５０Ｂを提供することができる。
【００４２】
また、取付部５１が挟持部５２を備えているため、当該挟持部５２で医療用ポンプ１を挟持することができ、取付部５１を介して医療用ポンプ１に識別部５４、５４Ａ、５４Ｂを確実に取り付けることができる。
【００４３】
また、医療用ポンプ１を水平面内の任意の方向から見たときに、識別部５４、５４Ａ、５４Ｂが視認可能に構成されているため、どの方向からも一見して識別部５４、５４Ａ、５４Ｂを認識することができ、医療用ポンプ１の使用条件を容易に判別することができる。
【００４４】
［第２実施形態］
図８に示すように、本実施形態のポンプ識別部材５０Ｃは、取付部５５の構成が第１実施形態と相違する。
ポンプ識別部材５０Ｃは、識別可能な外観を有する識別部５４Ｃと、医療用ポンプ１に識別部５４Ｃを取り付ける取付部５５とを備えている。
識別部５４Ｃは、識別部５４と同様の形状を有しているが、識別部５４Ａ、５４Ｂと同様の形状であってもよい。
取付部５５は、識別部５４Ｃを支持する吸盤により構成される。
【００４５】
以上のポンプ識別部材５０Ｃは、例えば、図８に示すように、医療用ポンプ１の背面部３２に装着することができる。この際、背面部３２に吸盤で凹部３３を覆うように取付部５５を装着すれば、凹部３３に液体が侵入することを防止でききる。
【００４６】
また、ポンプ識別部材５０Ｃの識別部５４Ｃを、図６に示す識別部５４Ａや、図７に示す識別部５４Ｂで置き換えたものを用意し、医療用ポンプ１の使用条件に応じて選択的に医療用ポンプ１に装着すれば、各医療用ポンプ１の使用条件を容易に判別することができる。
【００４７】
［変形例］
本考案は前述の実施形態に限定されるものではなく、本考案の目的を達成できる範囲での変形、改良等は本考案に含まれる。
例えば、図９に示すように、ポンプ識別部材５０Ｄは、突起５３Ｃの代わりに、凹部３３の周囲に粘着する粘着部５３Ｅを備えてもよいし、被覆部５３Ａにおける突起５３Ｃの周囲に粘着部５３Ｅを備えてもよい。
粘着部５３Ｅは、被覆部５３Ａの対向面５３Ｂにおいて、凹部３３の周囲を囲む位置に設けられている。
【００４８】
また、図１０に示すように、ポンプ識別部材５０Ｅは、突起５３Ｃの代わりに吸盤５３Ｆを備えてもよい。
吸盤５３Ｆは、凹部３３全体を覆う大きさとされ、その吸着面が凹部３３に対向するように被覆部５３Ａの対向面５３Ｂに支持されている。
【００４９】
また、図１１に示すように、ポンプ識別部材５０Ｆは、識別部５４Ｆと、医療用ポンプ１に識別部５４Ｆを取り付ける取付部５６とを備えてもよい。
識別部５４Ｆは、識別部５４と同様の形状を有しているが、識別部５４Ａ、５４Ｂと同様の形状であってもよい。
取付部５６は、医療用ポンプ１のドア部２０の上部形状に沿って湾曲した板状に形成され、ドア部２０を挟持可能に構成されている。
【００５０】
また、図１２に示すように、ポンプ識別部材５０Ｇは、識別部５４Ｇと、医療用ポンプ１に識別部５４Ｇを取り付ける取付部５７とを備えてもよい。
識別部５４Ｇは、識別部５４と同様の形状を有しているが、識別部５４Ａ、５４Ｂと同様の形状であってもよい。
取付部５７は、医療用ポンプ１の取っ手３１の周方向の表面形状に倣った略四角枠形状を有し、その下部が分断されている。取付部５７は、その分断部５７Ａに取っ手３１を通すようにして取っ手３１に装着され、当該取っ手３１を挟持可能に構成されている。
【００５１】
図９から図１２に示す構成によれば、多様な形態の取付部５１、５６、５７が得られるので、ポンプ識別部材５０、５０Ａ〜５０Ｃの他にも、使用者の要望や医療用ポンプ１のデザインや質感、医療用ポンプ１における取付部５１、５６、５７の取り付け位置の形状、材質等に合ったポンプ識別部材５０Ｄ〜５０Ｇを提供することができる。
【００５２】
ポンプ識別部材５０、５０Ａ〜５０Ｇは、各要素を個別に製造した後で全体を一体にしてもよい。また、ポンプ識別部材５０Ａ、５０Ｂは、突起５３Ｃの代わりにまたは突起５３Ｃとともに粘着部５３Ｅを備えてもよいし、突起５３Ｃの代わりに吸盤５３Ｆを備えてもよい。
ポンプ識別部材５０、５０Ａ〜５０Ｅは、医療用ポンプ１の背面部３２以外の外面部に着脱可能に構成されてもよく、例えば、医療用ポンプ１の前面部や側面部に装着されてもよい。
【００５３】
取付部５１、５５〜５７は、前記実施形態のものに限られず、例えば、医療用ポンプ１の側面３２Ａに吸着したり、粘着したりして、医療用ポンプ１に取り付けられるものでもよい。
側面壁部５２Ａは、医療用ポンプ１の背面部３２の側面３２Ａおよび上面３２Ｃに沿って連続した形状でなくてもよく、例えば、背面部３２の側面３２Ａに対応する部分と上面３２Ｃに対応する部分とが不連続であってもよいし、側面３２Ａに対応する部分が複数に分割して設けられてもよい。また、側面壁部５２Ａは、側面３２Ａに対応する部分と上面３２Ｃに対応する部分とを、背面部３２の下面側で接続した形状であってもよい。
背面壁部５２Ｂは、背面部３２の外縁に沿って連続する外縁形状を有していなくてもよく、例えば、側面壁部５２Ａと保持部５３とを接続する部分に設けられてもよい。また、背面壁部５２Ｂは、複数の開口部５２Ｃを備えてもよく、この場合、医療用ポンプ１の各コネクタ３４〜３６の位置に各開口部５２Ｃを設けてもよい。
【００５４】
識別部５４、５４Ａ〜５４Ｃ、５４Ｆ、５４Ｇは、識別可能な外観を有するものであれば、前記実施形態以外の形状を採用してもよく、例えば、種類の異なる昆虫、植物、建物、車、電車、飛行機、船等の形状であってもよいし、テレビや漫画のキャラクター形状であってもよい。
識別部５４、５４Ａ〜５４Ｃ、５４Ｆ、５４Ｇは、前記実施形態以外の色を付してもよく、複数の色を使用したり、ストライプ、まだら、水玉等の模様を付したりしてもよい。また、各識別部５４、５４Ａ〜５４Ｃ、５４Ｆ、５４Ｇは、形状が同じで異なる色を付したものを複数用意してもよく、例えば、識別部５４にピンクを付したもの、黒色を付したもの、茶色を付したものを用意し、各識別部５４、５４Ａ〜５４Ｃを色で識別するようにしてもよい。
識別部５４、５４Ａ〜５４Ｃは、色を電気的に発光してもよく、例えば、ピンク色を発光する識別部５４と、青色を発光する識別部５４と、黄色を発光する識別部５４を用意し、各識別部５４を色で識別してもよい。また、識別部５４、５４Ａ〜５４Ｃは、外部通信によって発光色を変えられるように構成され、医療用ポンプ１の通信部２３との通信によって、医療用ポンプ１の設定に応じて異なる色を発光させるようにしてもよい。
【００５５】
医療用ポンプ１は、ポンプ識別部材５０、５０Ａ〜５０Ｇが着脱可能であれば、前記実施例以外の構成であってもよい。
また、医療用ポンプ１は、シリンジポンプであってもよい。
【符号の説明】
【００５６】
１…医療用ポンプ、５０、５０Ａ〜５０Ｇ…医療用ポンプ識別部材、５１…取付部、５２…挟持部、５４、５４Ａ〜５４Ｃ、５４Ｆ、５４Ｇ…識別部、５５〜５７…取付部。
【図１】
0003208647.tif 000003
【図２】
0003208647.tif 000004
【図３】
0003208647.tif 000005
【図４】
0003208647.tif 000006
【図５】
0003208647.tif 000007
【図６】
0003208647.tif 000008
【図７】
0003208647.tif 000009
【図８】
0003208647.tif 000010
【図１０】
0003208647.tif 000011
【図１１】
0003208647.tif 000012
【図１２】
0003208647.tif 000013
【図９】
0003208647.tif 000014